(57)【特許請求の範囲】
【請求項１】
互いに通信形態が異なる第１及び第２通信モードにて使用可能なＰＨＳ端末により実行される待受方法であって、第１通信モードに係るサービスに属する無線接続先からの着信に応ずべく、その通信モードに係るサービスに属する無線接続先の中から比較的良好な受信信号品質を期待できる無線接続先を待受先として逐次選択しその待受先からの着信を待ち受ける待受動作を、第１通信モードに関し実行している状態から、実行される待受方法において、
第１通信モードにおける受信信号品質が、第１通信モード選択レベル超の水準から第１通信モード待受保持レベル超第１通信モード選択レベル未満の水準に劣化したとき、第２通信モードにおける受信信号品質が、第１通信モード選択レベルとは異なるレベルである第２通信モード選択レベル未満であれば、第１通信モードに関する待受動作を継続しつつ、第２通信モードに関し、その通信モードに係るサービスに属する無線接続先の中から比較的良好な受信信号品質を期待できる無線接続先を将来の待受先として検出するシームレス検出動作を開始する工程と、
第２通信モードにおける受信信号品質が、第２通信モード選択レベル超の水準まで向上したときに、シームレス検出動作の結果に基づき、ＰＨＳ端末の動作を第１通信モードに関する待受動作から第２通信モードに関する待受動作へと自動的に遷移させるシームレス遷移を実行する工程と、
を有することを特徴とする待受方法。
【請求項２】
請求項１記載の待受方法において、
第１通信モードに関する待受動作を継続しつつ第２通信モードに関しシームレス検出動作を開始した後、第１通信モードにおける受信信号品質が第１通信モード待受保持レベル超第１通信モード選択レベル未満の水準にとどまっている間に第２通信モードにおける受信信号品質が第２通信モード選択レベル超に達したとき、第１通信モードに関する待受動作及び第２通信モードに関するシームレス検出動作をやめ第２通信モードに関する待受動作を開始することにより、シームレス遷移を実行する工程を有することを特徴とする待受方法。
【請求項３】
請求項１記載の待受方法において、
第１通信モードに関する待受動作を継続しつつ、第２通信モードに関しシームレス検出動作を開始した後、第１通信モードにおける受信信号品質が第１通信モード待受保持レベル未満の水準に劣化したとき、第２通信モードにおける受信信号品質が第２通信モード待受保持レベル超第２通信モード選択レベル未満の水準であれば、第１通信モードに関する待受動作及び第２通信モードに関するシームレス検出動作をやめ第１通信モードに関するシームレス検出動作及び第２通信モードに関する待受動作を開始することにより、シームレス遷移を実行する工程を有することを特徴とする待受方法。
【請求項４】
請求項３記載の待受方法において、
第１通信モードに関するシームレス検出動作及び第２通信モードに関する待受動作を開始した後、第２通信モードにおける受信信号品質が第２通信モード選択レベル超の水準に達したとき、第１通信モードに関するシームレス検出動作をやめる工程を有することを特徴とする待受方法。
【請求項５】
請求項１乃至４のいずれか記載の待受方法において、
第１通信モードに関する待受動作を継続しつつ第２通信モードに関するシームレス検出動作を開始した後、第１通信モードにおける受信信号品質が第１通信モード待受保持レベル未満に劣化しかつ第２通信モードにおける受信信号品質も第２通信モード待受保持レベル未満に劣化したとき、第１及び第２通信モードのいずれについてもサービス圏外であると見なして、第１及び第２通信モードに係るサービスに属する無線接続先の中から比較的良好な受信信号品質を期待できる無線接続先を将来の待受先として検出する動作を開始する工程を有することを特徴とする待受方法。
【請求項６】
請求項５記載の待受方法において、
第１及び第２通信モードのいずれについてもサービス圏外である状態から、第１通信モードにおける受信信号品質が第１通信モード待受保持レベル超第１通信モード選択レベル未満の水準に達したとき、第１通信モードに関する待受動作及び第２通信モードに関するシームレス検出動作を開始する工程を有することを特徴とする待受方法。
【請求項７】
請求項６記載の待受方法において、
第１通信モードに関する待受動作及び第２通信モードに関するシームレス検出動作を開始した後、第１通信モードにおける受信信号品質が第１通信モード選択レベル超の水準に達したとき、第２通信モードに関するシームレス検出動作をやめる工程を有することを特徴とする待受方法。
【請求項８】
請求項２乃至７のいずれか記載の待受方法において、
使用者により又は初期的にシームレス待受との設定が行われた場合に、予め登録されている複数の通信モードのうち現時点で最も良好な受信信号品質を期待できる通信モードを第１通信モードとし、当該複数の通信モードのうち残りの全部又は一部の通信モードを第２通信モードとする工程を有することを特徴とする待受方法。
【請求項９】
請求項８記載の待受方法において、
上記第２通信モードが複数存在する場合に、その中で最もよい受信信号品質を提供する通信モードを、シームレス遷移先とする工程を有することを特徴とする待受方法。
【請求項１０】
請求項８又は９記載の待受方法において、
上記第２通信モードが複数存在する場合に、各通信モードに付与されている所定の優先順位に従い、通信モード毎に、受信信号品質の検出及びその結果に基づく動作を実行する工程を有することを特徴とする待受方法。
【請求項１１】
請求項１０記載の待受方法において、
上記複数の第２通信モードの中に、公衆用ＰＨＳの基地局に無線接続する公衆モードと、その他複数の通信モードとが含まれている場合に、当該その他複数の通信モードについては上記優先順位に従う動作を実行し、公衆モードについては当該複数の通信モードよりも優先して又は別の回路で受信信号品質の検出及びその結果に基づく動作を実行する工程を有することを特徴とする待受方法。
【請求項１２】
請求項２乃至１１のいずれか記載の待受方法において、
第１及び第２通信モードにおける受信信号品質を、その通信モードに係る制御チャネルを介し受信する信号から、検出する工程を有することを特徴とする待受方法。
【請求項１３】
請求項２乃至１２のいずれか記載の待受方法において、
第１及び第２通信モードに関する動作を、ＰＨＳ端末内に設けた複数系統の送受信回路により分担して実行する工程を有することを特徴とする待受方法。
【発明の詳細な説明】
【０００１】
【発明の属する技術分野】
本発明は、ＰＨＳ(Personal Handy phone System)端末における着信の待受方法に関する。
【０００２】
【従来の技術】
ＰＨＳの開発・実施当初の意図として“コードレス電話機を家庭外に持ち出して使えるようにする”という意図があったことは、広く知られている。このような当初意図や、ＰＨＳを用いてワイヤレスの内線電話又はインターカムシステムを実現したいという産業面からの要求や、一つのＰＨＳ端末を様々な場所で使いたいという使用者の一般的要求等を反映して、近年のＰＨＳ端末には様々な通信モードが準備されている。通信モードとしては、市街地等に配設されているＣＳを介して公衆用ＰＨＳに接続するための公衆モード、窓辺等に設けたＰＡ（パワーアンテナ。ホームアンテナとも呼ぶ）を介して公衆用ＰＨＳに接続するためのＰＡモード、ＰＨＳ端末をいわばコードレス電話機の子機として使用するための家庭モード、無線系ＰＢＸやその配下におかれたＣＳを用いて事業所内に構築されたＰＨＳに接続し無線系ＰＢＸやその接続先たる構内ＰＢＸを介し内線や外線に接続するためのオフィスモード、ＡＰＩ等の準公衆（ＢＡ）モード、ＰＨＳ端末同士で無線接続するためのトランシーバモード等がある。これらの通信モードの間には使用する波や準拠する手順や信号の構成等の相違があり、一般に、任意の通信モード下では他の通信モードに係る信号による着信を受けられないことから、ＰＨＳ端末の使用に際しては使用者が必要に応じいずれかの通信モードを選択しまた適宜変更設定しなければならない。
【０００３】
具体的には、ＰＨＳ端末に予めいくつかの通信モードを登録しておき、使用者の手動操作等により適宜登録の追加／削除等を行う。使用者は、現状に応じて手動操作等を行い、ＰＨＳ端末の通信モードを選択設定する。例えば、「外出しよう」としているのであれば公衆モード等を選び、「事業所内で働こう」としているのであればオフィスモード等を選び、「自宅にいよう」としているのであれば家庭モード或いはＰＡモードを選び、ＰＨＳ端末に設定する。ＰＨＳ端末は、待受先を介した着信があるまで或いは使用者が発信操作等を行うまで、出荷時等に初期設定された或いは使用者により設定された通信モードでの着信を待ち受ける待受動作を実行する。なお、本願でいうところの待受動作は、ＣＳ等（ＣＳの他、ＢＳ、ＰＡ等、ＰＨＳ端末の無線接続先となりうる無線設備各種を含む。以下、区別の必要がない限り同様に略記）からの下り制御チャネルにおける受信信号品質に応じて待受先ＣＳを選択・変更する動作、ＰＨＳ端末の位置をデータベースに登録する動作、使用者による操作に応じＰＨＳ端末内に各種情報を登録しまた機能に関する設定を行う動作等、着信を待ち受けている間に実行すべき又は実行可能な様々な動作を包含するものとする。
【０００４】
【発明が解決しようとする課題】
しかしながら、通信モードをいちいち設定しまた変更する操作は、使用者にとり煩わしい。例えば、ＰＨＳ端末を自宅でも通勤路でも勤務先事業所内でも使用できるようにするため、ＰＨＳ端末にＰＡ，公衆，オフィスという３個の通信モードを登録してあるとする。この場合、使用者が自宅から勤務先事業所に出勤するに当たって、自宅出発時にＰＨＳ端末の通信モードをＰＡモードから公衆モードに設定変更し、勤務先事業所到着時に公衆モードからオフィスモードに設定変更する、という操作が必要である。このように、使用者自身の移動或いはＰＨＳ端末の利用環境の変化に際し、使用者が通信モードをいちいち設定変更するのは面倒である。また、仮に、設定変更を怠ると現在の所在環境下では着信を受けることができないこととなりうる。即ち、必要な情報を必要な時点で受け取ることができない等の不都合が生じる。
【０００５】
本発明は、このような問題点を解決することを課題としてなされたものであり、ＰＨＳ端末に複数の通信モードが設定されている場合であっても、待受に係る通信モードの設定変更等の操作で使用者を煩わせることなしに、使用者の移動等に伴うＰＨＳ端末の利用環境等の変化に対応できるようにすることを、その目的の一つとしている。
【０００６】
【課題を解決するための手段】
まず、本発明に係る待受方法は、公衆モード、ＰＡモード等、互いに通信形態例えば通信手順や信号構成が異なる複数の通信モードそれぞれにて使用可能なＰＨＳ端末により、実行される。本発明の実行環境たるＰＨＳ端末は、着信を待ち受けるための待受動作を実行する。待受動作とは、より詳細にいえば、ある通信モードに係るサービスに属する無線接続先からの着信に応ずべく、その通信モードに係るサービスに属する無線接続先の中から比較的良好な受信信号品質を期待できる無線接続先を待受先として逐次選択しその待受先からの着信を待ち受ける待受動作である。なお、以下の説明では、本発明に係る待受方法を開始する際に待受動作の対象となっている通信モードを、第１通信モードと称し、ＰＨＳ端末に登録済の他の通信モードのうちシームレス遷移先となりうるもの或いはその通信モードに関しシームレス検出が行われることがあるものを、第２通信モードと称している。また、ＰＨＳ端末の「無線接続先」とはＣＳ等を、「サービス」とは公衆用ＰＨＳへの接続等を、さすものとする。
【０００７】
本発明を特徴付けている動作の一つは、シームレス遷移である。シームレス遷移とは、ＰＨＳ端末の動作を第１通信モードに関する待受動作から第２通信モードに関する待受動作へと自動的に遷移させる動作である。即ち、シームレス遷移は、待受動作に係る通信モードを第１通信モードから第２通信モードへと自動的に切り換えることによって、待受に係る通信モードを使用者の操作により設定変更する必要をなくすという効果をもたらすもの、言い換えれば、待受に係る通信モードの切換の継ぎ目（シーム）たる設定変更操作を廃止可能にする遷移形態である。
【０００８】
シームレス遷移には、いくつかの形態がある。第１の形態は、第１通信モードに関する待受動作をやめ第２通信モードに関する待受動作を開始することによりシームレス遷移を実行する、という形態である。この形態によるシームレス遷移は、第１通信モードにおける受信信号品質例えば受信電界強度が第１通信モード選択レベル超の水準から第１通信モード選択レベル未満の水準に劣化したとき、第２通信モードにおける受信信号品質例えば受信電界強度が第２通信モード選択レベル超であることを条件として、実行する。即ち、第１通信モード下での待受では（どのＣＳ等を選択しても）第１通信モード選択レベルを超える受信信号品質を期待できなくなったものの、第２通信モード下での待受へと遷移すれば（少なくともいずれかのＣＳ等については）第２通信モード選択レベルを超える受信信号品質を期待できるときに、第１の形態によるシームレス遷移が実行される。第１通信モード下での待受から第２通信モード下での待受への遷移が設定変更操作なしで行われるという意味で、この遷移はシームレスである。
【０００９】
第２の形態は、第１通信モードに関する待受動作を実行している状態から、まず、第１通信モードに関する待受動作を継続しつつ第２通信モードに関するシームレス検出動作を実行する状態に移行し、その後、第１通信モードに関する待受動作及び第２通信モードに関するシームレス検出動作をやめ第２通信モードに関する待受動作を開始することにより、シームレス遷移を実行する、という形態である。シームレス検出動作とは、その通信モードに係るサービスに属する無線接続先の中から比較的良好な受信信号品質を期待できる無線接続先を将来の待受先として検出する動作である。
【００１０】
第２の形態に含まれる２段階の状態遷移のうち１段階目の状態遷移、即ち第１通信モードに関する待受動作を実行している状態からそれを継続しつつ第２通信モードに関するシームレス検出動作を実行する状態への移行は、第１通信モードにおける受信信号品質が第１通信モード選択レベル超の水準から第１通信モード待受保持レベル超第１通信モード選択レベル未満の水準に劣化したとき、第２通信モードにおける受信信号品質が第２通信モード選択レベル未満であることを条件として、実行される。言い換えれば、第１通信モード下での待受では（どのＣＳ等を選択しても）第１通信モード選択レベルを超える受信信号品質を期待できなくなっているが、第２通信モード下での待受へと直ちに遷移してもやはり（どのＣＳ等を選択しても）第２通信モード選択レベルを超える受信信号品質を期待できないとき、実行される。
【００１１】
第２の形態に含まれる２段階の状態遷移のうち２段階目の状態遷移、即ち第１通信モードに関する待受動作及び第２通信モードに関するシームレス検出動作を実行する状態から第２通信モードに関する待受動作を実行する状態への移行は、第１通信モードにおける受信信号品質が第１通信モード待受保持レベル超第１通信モード選択レベル未満の水準にとどまっている間に第２通信モードにおける受信信号品質が第２通信モード選択レベル超に達したとき、実行される。言い換えれば、第１通信モードにおける受信信号品質の劣化がさほど進行していないうちに第２通信モードにおける（いずれかのＣＳ等による）受信信号品質が十分な向上を呈したとき、実行される。
【００１２】
従って、第１通信モード下での待受から第２通信モード下での待受への遷移が設定変更操作（シーム）なしで行われるという意味で、第２の形態による遷移もシームレスである。また、１段階目の状態遷移の際に第２通信モードに関するシームレス検出動作が開始されているため、以後の待受に係る通信モード及びその通信モード下で当面待受先とすべきＣＳ等の特定が既に行われている状況で、２段階目の状態遷移が実行される。直ちに特定のＣＳ等を待受先とすることができるという意味或いは待受時間をさほど長引かせないという意味でも、第２の形態による遷移はシームレスである。
【００１３】
第３の形態は、第１通信モードに関する待受動作を実行している状態から、まず、第１通信モードに関する待受動作を継続しつつ第２通信モードに関するシームレス検出動作を実行する状態に移行し、その後、第１通信モードに関する待受動作及び第２通信モードに関するシームレス検出動作をやめ第１通信モードに関するシームレス検出動作及び第２通信モードに関する待受動作を開始することにより、シームレス遷移を実行する、という形態である。
【００１４】
第３の形態に含まれる２段階の状態遷移のうち１段階目の状態遷移は、第２の形態に含まれる２段階の状態遷移のうち１段階目の状態遷移と、同様の時点で同様の条件下で実行される同様のものである。第３の形態に含まれる２段階の状態遷移のうち２段階目の状態遷移、即ち第１通信モードに関する待受動作及び第２通信モードに関するシームレス検出動作を実行する状態から第１通信モードに関するシームレス検出動作及び第２通信モードに関する待受動作を実行する状態への移行は、第１通信モードにおける受信信号品質が第１通信モード待受保持レベル未満の水準に劣化したとき、第２通信モードにおける受信信号品質が第２通信モード待受保持レベル超第２通信モード選択レベル未満の水準であることを条件として、実行される。言い換えれば、第１通信モードにおける受信信号品質の劣化が既にかなりの程度進行しており他方で第２通信モードにおける受信信号品質の今後の向上が若干とも期待できる時点で、実行される。
【００１５】
従って、第１通信モード下での待受から第２通信モード下での待受への遷移が設定変更操作（シーム）なしで行われるという意味で、第３の形態による遷移もシームレスである。また、１段階目の状態遷移の際に第２通信モードに関するシームレス検出動作が開始されているため、２段階目の状態遷移の際直ちに特定のＣＳ等を待受先とすることができるという意味或いは待受時間をさほど長引かせないという意味でも、第３の形態による遷移はシームレスである。加えて、第１通信モードに関するシームレス検出動作及び第２通信モードに関する待受動作を開始した後、第２通信モードにおける受信信号品質が第２通信モード選択レベル超の水準に達したとき、第１通信モードに関するシームレス検出動作をやめるようにすれば、この形態によるシームレス遷移が行われた後の待受状態が、第１の形態によるシームレス遷移や第２の形態によるシームレス遷移が行われた場合と同様の待受状態となる。
【００１６】
このように、本発明においては、状況によりシームレス検出を実行しながらシームレス遷移を行うようにしたため、現時点で待受動作を実行するべき通信モードに関する使用者による設定変更操作が不要になり、従来に比べ使用性に優れたＰＨＳ端末が得られる。ＰＨＳ端末の回路構成として送受信回路を１系統具備する構成を用いて本発明を実施することも可能であるが、ＰＨＳ端末内に複数系統の送受信回路を設け、第１及び第２通信モードに関する動作を、ＰＨＳ端末内に設けた複数系統の送受信回路により分担して実行するようにするのが望ましい。また、本発明に係る待受方法をＰＨＳ端末に実行させるには、例えば、使用者により又は初期的に、ＰＨＳ端末に“シームレス待受”との設定を与えればよい。その際、ＰＨＳ端末は、予め登録されている複数の通信モードのうち現時点で最も良好な受信信号品質を期待できる通信モードを第１通信モードとし、当該複数の通信モードのうち残りの全部又は一部の通信モードを第２通信モードとする。
【００１７】
また、第２通信モードが１種類に限られないことにも留意されたい。第２通信モードが複数存在する場合、例えば、その中で最もよい受信信号品質を提供する通信モードを、シームレス遷移先とする。また、受信信号品質の検出（例えば下り制御チャネルからの受信電界強度の検出）及びその結果に基づく動作（シームレス遷移）については、複数の第２通信モードそれぞれに優先順位を付与しておき、その優先順位に従い通信モード毎に実行すればよい。更に、これら複数の第２通信モードの中に、公衆用ＰＨＳの基地局に無線接続する公衆モードと、その他複数の通信モードとが含まれている場合には、当該その他複数の通信モードについては上述の優先順位に従う動作を実行し、公衆モードについては当該複数の通信モードよりも優先して又は別の回路で受信信号品質の検出及びその結果に基づく動作を実行するようにすればよい。
【００１８】
そして、第１通信モードに関する待受動作及び第２通信モードに関するシームレス検出動作を実行する状態から、第１及び第２通信モードにおける受信信号品質が向上を見せず、第１通信モードにおける受信信号品質が第１通信モード待受保持レベル未満に劣化しかつ第２通信モードにおける受信信号品質も第２通信モード待受保持レベル未満に劣化したときには、第１及び第２通信モードのいずれについてもサービス圏外であると見なすことができる。この場合には、例えば、第１及び第２通信モードに係るサービスに属する無線接続先の中から比較的良好な受信信号品質を期待できる無線接続先を将来の待受先として検出する動作を、開始する。第１及び第２通信モードのいずれについてもサービス圏外である状態から、第１通信モードにおける受信信号状態が第１通信モード待受保持レベル超第１通信モード選択レベル未満の水準に達したときには、例えば、第１通信モードに関する待受動作及び第２通信モードに関するシームレス検出動作を開始する。その後第１通信モードにおける受信信号品質が向上を見せ、第１通信モードにおける受信信号品質が第１通信モード選択レベル超の水準に達したときには、例えば、第２通信モードに関するシームレス検出動作をやめる。このように、サービスの圏内から圏外へ又はその逆への移動に伴う状態遷移も、本発明の特徴に係るシームレス遷移或いはシームレス検出と同様に、各通信モードに係る選択レベル及び待受保持レベルを利用して簡便に実現できる。なお、選択レベル及び待受保持レベルは通信モード毎に異なる値でもよい。これらのレベルはＰＨＳ端末内に固定的に設定しておいてもよいし、無線接続先からの報知等により設定してもよい。制御に利用する受信信号品質は、例えば受信電界強度の移動平均値等であるが、本発明は受信信号品質を示す他の量に基づき実施することもできる（「選択レベル」及び「待受保持レベル」なる名称中の「レベル」は受信レベルへの限定を意図するものではない）。
【００１９】
【発明の実施の形態】
以下、本発明の好適な実施形態に関し図面に基づき説明する。
【００２０】
図１に、本発明の実施環境の一例を示す。この図に示すのはＰＨＳ端末の典型的な構成であり、信号の送受信のためのアンテナ１０、高周波集積回路等により実現されアンテナ１０を用いて信号の送受信を行う無線部１２、ＡＳＩＣ(Application Specific Integrated Circuit)等により実現され各種のディジタル信号処理を実行する信号処理部１４、信号処理部１４が使用する記憶空間を提供すべくＲＡＭやＦ−ＲＯＭ等にて構成され後述する通信モード登録及び待受モード設定の内容を記憶するメモリ１６、キーやダイヤル等を含みその操作に応じて信号処理部１４に使用者からの指令を与える操作部１８、液晶等の小形表示デバイスにて実現され各種の機能メニューや信号処理部１４の動作状態や信号の送受信状態等を表示する表示部２０、使用者が発した音声を電気信号に変換して信号処理部１４に入力するマイク２２、信号処理部１４の出力を電気信号から音響へと変換して出力するスピーカ２４等を有している。図示しないが、ＰＨＳ端末の各部にその駆動電力を供給する電源回路や、パーソナルコンピュータや携帯情報端末との接続手段等も有している。
【００２１】
信号処理部１４内には、ＭＰＵ２６、ＡＤＰＣＭ−ＣＯＤＥＣ２８、ＴＣＨ−ＣＯＤＥＣ３０、ＴＤＭＡ−ＴＤＤ制御部３２及びπ／４ＱＰＳＫモデム３４が設けられている。使用者が発しマイク２２により信号処理部１４に入力された音声は、ＡＤＰＣＭ−ＣＯＤＥＣ２８にてＡＤＰＣＭ(Adaptive Differential Pulse Code Modulation)方式に従い量子化され、ＴＣＨ−ＣＯＤＥＣ３０によりＴＣＨ(Traffic CHannel)が作成され、ＴＤＭＡ−ＴＤＤ制御部３２を介しπ／４ＱＰＳＫモデム３４に供給され、π／４ＱＰＳＫモデム３４を構成する変調部３６にてπ／４ＱＰＳＫ(Quadrature Phase Shift Keying)方式に従い変調された上で、無線部１２内の送信回路３８による増幅・周波数変換等を経てアンテナ１０から無線送信される。逆に、アンテナ１０を用いて無線受信された信号は、無線部１２内の受信回路４０による増幅・周波数変換等を経て、π／４ＱＰＳＫモデム３４を構成する復調部４２によりπ／４ＱＰＳＫ方式に従い復調され、ＴＤＭＡ−ＴＤＤ制御部３２を介しＴＣＨ−ＣＯＤＥＣ３０に供給され、ＴＣＨ−ＣＯＤＥＣ３０にて復号され、ＡＤＰＣＭ−ＣＯＤＥＣ２８によりＡＤＰＣＭ方式に従い再生され、スピーカ２４から音響出力される。以上の動作に際し、ＴＤＭＡ−ＴＤＤ制御部３２は、ＰＨＳにて用いられる多重化方式であるＴＤＭＡ−ＴＤＤ(Time Division Multiple Access-Time Division Dulplex)方式に従い信号の送受信・変復調動作を制御する。ＭＰＵ２６は、信号処理部１４全体の動作を制御する。図中、４４は、アンテナ１０を送信回路３８と受信回路４０とで共用するためのアンテナスイッチである。
【００２２】
図２に、本発明の実施環境の他の一例を示す。この図に示すＰＨＳ端末が図１に示したＰＨＳ端末と相違している点は、信号の送受信に関連する部分を２系統設けている点である。即ち、アンテナ、アンテナスイッチ、無線部１２Ａ内の送信回路及び受信回路、π／４ＱＰＳＫモデム３４Ａ内の変調部及び復調部は、それぞれ２個ずつ設けられており、また、信号処理部１４Ａ内のＴＤＭＡ−ＴＤＤ制御部３２Ａ及びＴＣＨ−ＣＯＤＥＣ３０Ａもそれぞれ送受信系統２個分の制御乃至処理機能を有している。図２中、第１の系統に属する回路には符号の末尾に−１を付しており、第２の系統に属する回路には符号の末尾に−２を付している。送受信系統が２系統あることとの関連で図１に記載のものと機能に相違がみられる部材については、符号の末尾にＡを付している。
【００２３】
ここで、ＰＨＳでは、１キャリア当たり上り（ＰＨＳ端末→ＣＳ等）／下り（ＣＳ等→ＰＨＳ端末）各４個のタイムスロットが準備されており、そのうち各１個が制御チャネルとして使用される。ＰＨＳ端末及びその無線接続先たるＣＳ等は、着信時／発信時には、この制御チャネルを介した信号のやりとりを含む通信手順を実行し、いずれかのタイムスロットをその通話に割り当てた上で、通話を成立させる。通話中は、ＰＨＳ端末は、例えば１．２秒周期で、ＣＳ等からの下り制御チャネルにて送信されている信号から受信信号品質を検出し、最良の受信信号品質を期待できるＣＳ等を選択してそのＣＳ等に無線接続先を切り換える（ハンドオーバ）。ＰＨＳ端末は、着信を待ち受けているときにも、ＣＳ等からの下り制御チャネルにて送信されている信号から受信信号品質を検出し、最良の受信信号品質を期待できるＣＳ等を選択する（待受先ＣＳ等の選択）。受信信号品質は、例えば、無線部１２又は１２Ａの受信回路４０又は４０−１若しくは４０−２から出力され受信電界強度を示す信号であるＲＳＳＩ(Receiving Signal Sterngth Indicatior)信号を入力し、過去所定期間について受信電界強度（受信レベル）の移動平均を求めることで、検出することができる。或いは、ＴＤＭＡ−ＴＤＤ制御部３２又は３２ＡやＴＣＨ−ＣＯＤＥＣ３０又は３０Ａにおける処理結果から、過去所定期間におけるフレーム誤り率を求めることによっても、検出できる。なお、ハンドオーバや待受先ＣＳ等選択の手順については、特開平１０−７５４７６号公報を参照されたい。また、特に図２に示した回路におけるハンドオーバやその際の切り戻りについては、本願出願人が先に提案した特願２０００−２０５３７号の記載を参照されたい。
【００２４】
本発明の好適な実施形態においては、ＰＨＳ端末にて検出される受信信号品質を、ハンドオーバや待受先ＣＳ等選択だけでなく、待受に係る通信モードの自動的な遷移を実現するためにも、使用する。即ち、どの通信モードに関して待受動作を実行すべきかを、現在の待受先に係る通信モードに関し検出した受信信号品質や、その他の通信モードに関し検出した受信信号品質に基づき、逐次決定して自動変更する。更に、現在待受動作の対象としていない通信モードのうちどの通信モードに関して受信信号品質の検出や（将来の）待受先ＣＳ等選択を実行すべきかを、同様の情報に基づき逐次決定する。以下、本実施形態の動作のうち、この通信モードの遷移に関連する動作について、説明する。この動作は、無線部１２又は１２Ａ等で検出される受信信号品質に基づきＭＰＵ２６又は２６ＡがＴＤＭＡ−ＴＤＤ制御部３２又は３２Ａ等を制御することにより実現される動作である。
【００２５】
【表１】
0003694452.tif 000002
本実施形態では、ＰＨＳ端末における通信モードとして、公衆、ＰＡ、オフィス、家庭、トランシーバ、準公衆（ＢＡ）の各モードと、それらの中から２個を組み合わせた各種のデュアル（ＤＵＡＬ）モードとを準備している。表１中、見出し列に記されている通信モードは、準備されている登録可能な通信モードである。ＰＨＳ端末出荷時にはそれらの全部又は一部を登録しておく。使用者が適宜登録を追加又は削除することも可能である。更に、表１中、見出し行に記されているのは、使用者が設定する待受モードである。ＰＨＳ端末出荷時にはそれらのうちいずれかを初期設定しておく。表１中、行と列が交差するセルに記されている「○」は、その列の見出しに記されている待受モードが使用者により設定されたときに、その行の見出しに記されている通信モードが登録済であれば、その通信モードに関し待受動作が行われうる、という意味であり、「×」は、行われえないという意味である。
【００２６】
使用者は、操作部１８を操作することにより表示部２０の画面上に機能メニューを表示させ、その機能メニューを参照して操作部１８を操作することにより、準備されている登録可能な通信モードの中からいずれか１個又は複数個を任意に選択し登録することが可能である。また、使用者は、操作部１８を操作することにより表示部２０の画面上に機能メニューを表示させ、その機能メニューを参照して操作部１８を操作することにより、いずれかの待受モードを設定することが可能である。
【００２７】
こういった初期設定或いは使用者の操作により、通信モードとして公衆及びＰＡモードが登録され待受モードとして公衆モードが選択されたとすると、通信モードとして登録済でありかつ待受モードとして選択されている公衆モードに関し、待受動作（受信信号品質を検出して待受先ＣＳ等を決定・変更しながら着信を待ち受ける動作）が実行される。このとき、ＰＡモードに関する待受動作に移行するには使用者が改めて待受モード設定操作を行わねばならない。これに対して、通信モードとして公衆及びＰＡモードが登録され待受モードとしてシームレス待受モードが選択されたとすると、通信モードとして登録済でありかつシームレス待受モードの実行対象に含まれている公衆，ＰＡの両モードについて、両モード間でのシームレス遷移を含む待受動作が実行される。このとき、公衆からＰＡへ或いはその逆への待受動作の移行は自動的に行われ、使用者による待受モード設定操作は必要でない。本実施形態における特徴的な動作は、このシームレス待受モードが設定されたときの動作である。
【００２８】
ここでは、説明の簡略化のため、まず、通信モードとして公衆，ＰＡの両モードが登録済であり、待受モードとしてシームレス待受モードが設定されている、という比較的単純な例を考える。このような登録・設定下にて生じうる待受状態及びその遷移パスを、図３に示す。図中、「公衆」は公衆モードに関する待受動作が実行されている状態を、「ＰＡ」はＰＡモードに関する待受動作が実行されている状態を、「圏外」は公衆，ＰＡの何れの通信モードについてもサービスの圏外であるため待受動作が行われていない状態を、それぞれ示している。各状態にて待受動作の対象とされている通信モードを、本実施形態では第１通信モードと呼ぶ。また、各状態にて「シームレス検出」又は「検出」の対象とされている通信モード、即ち、シームレス待受モードによりカバーされている通信モードのうち登録済であってその通信モードにおける受信信号品質が現状では圏外相当又はそれに近い水準にある通信モードを、本実施形態では第２通信モードと呼ぶ。
【００２９】
周期的間欠的な受信信号品質の検出によって比較的良好な受信信号品質を期待できるＣＳ等を検出する動作は、第１通信モードに関しても第２通信モードに関しても、時分割の処理により（図１）又は複数の回路の併用により（図２）実行される。第１通信モードに関して実行されるＣＳ等検出動作は、常に良好な受信信号品質が得られるように、待受先ＣＳ等を自動選択・変更するための動作である。これに対して、第２通信モードに関して実行されるＣＳ等検出動作のうち、図３中で「検出」と記されているものは、ＰＨＳ端末の移動や環境変化によって新たに十分な受信信号品質が得られるようになったＣＳ等を検出するための動作であり、従来における圏外検索に相当している。また、第２通信モードに関して実行されるＣＳ等検出動作のうち、図３中で「シームレス検出」と記されているものは、第１通信モードに関しどのＣＳ等を待受先としても十分な受信信号品質が期待できない状況にかなりの程度近づいているときに、待受状態遷移後に待受動作の対象とされうる通信モードにて待受状態遷移直後に待受先とすべきＣＳ等を、予め検出しておく動作である。
【００３０】
待受動作にて又は（シームレス）検出にて得られる受信信号品質は、現在の第１通信モードでの待受状態から脱すべきか、他の通信モードでの待受状態へと遷移すべきか、現在の第１通信モードでの（シームレス）検出から脱すべきか、他の通信モードでの（シームレス）検出を開始すべきか等を決定するために、待受保持レベルや選択レベルと比較される。
【００３１】
例えば、ある通信モードで着信を待ち受けているとき、その通信モードにおける受信信号品質がその通信モードついての選択レベルより高い水準から低い水準へと劣化した場合、その時点における第２通信モードでの受信信号品質が当該第２通信モードについての選択レベルより高ければ、当該第２通信モードで着信を待ち受けるのが適切である、と見なして、それまで第２通信モードであった通信モードを第１通信モードとした待受動作を開始する。即ち、待受に係る通信モードを切り換え、待受状態を遷移させる。
【００３２】
また、例えば、ある通信モードで着信を待ち受けているとき、その通信モードにおける受信信号品質がその通信モードついての選択レベルより高い水準から低い水準へと劣化した場合、その時点における第２通信モードでの受信信号品質が当該第２通信モードについての選択レベルより低ければ、当面は現在の第１通信モードで着信を待ち受けるのが適切であるが現在の第２通信モードでの待受動作に移行する準備を進める必要がある、と見なして、第２通信モードに関してシームレス検出動作を開始する。その後、第１通信モードにおける受信信号品質がそのモードについての待受保持レベルより低い水準に低下し或いはそれまでの第２通信モードにおける受信信号品質がそのモードについて選択レベルを超える水準に向上したとき、それまで第２通信モードを第１通信モードとした待受動作を開始する。即ち、待受に係る通信モードを切り換え、待受状態を遷移させる。
【００３３】
なお、待受保持レベル及び選択レベルは、通信モード毎に異なる値に定めることができる。例えば公衆モードであれば、ＣＳ等からの報知情報に基づき定めればよい。選択レベルは待受保持レベルより高く設定される。
【００３４】
この動作をより直観的に理解できるよう説明するため、図４〜図７に、図３に示した登録・設定状況下における各種のシームレス遷移の各種形態を示す。ここでは、議論の便宜のため、受信信号品質として、制御チャネルにおける受信電界強度の移動平均値たる受信レベルを検出するものとし、公衆，ＰＡの両モードにおける待受保持レベルがいずれもＸ（ｄＢ）で選択レベルがＸ＋Ｙ（ｄＢ）であるものとしている。また、各図中、（Ａ）は、単一の又は複数の公衆用ＣＳによる覆域（セル又はセル群）と、ＰＡの覆域との概略位置関係を示す。（Ｂ）は、ＰＨＳ端末が図中左から右へと移動していくときの待受状態の変遷を、（Ｃ）は、逆に右から左へと移動していくときの変遷を、それぞれ示している。
【００３５】
まず、図４（Ｂ）の左端に記したように、ＰＨＳ端末における受信レベルが公衆モード，ＰＡモードの何れについても待受保持レベルＸ（ｄＢ）を下回っているとする。即ち、図３中の「圏外」の状態にあるとする。この状態では、ＰＨＳ端末は、公衆モード，ＰＡモードの双方について前述の「検出」動作を実行する。その際、公衆モード，ＰＡモードのうち最近の待受状態遷移直前まで第１通信モードであった通信モードについては、従来も行われていた圏外検索と同様の周期で「検出」を実行する。他の通信モードについては、従来の圏外検索よりも長い周期で「検出」を実行する。図３に示した例でいえば、遷移パス（３）を経由して「圏外」に遷移したときは「ＰＡ」よりも長い周期で「公衆」の「検出」が実行され、遷移パス（６）を経由して「圏外」に遷移したときは「公衆」よりも長い周期で「ＰＡ」の「検出」が実行される。但し、各モードとも少なくとも１２０秒に１回程度は「検出」が実行されるよう、「検出」の実行周期を定めておくのが望ましい。
【００３６】
この状態で、公衆モードにおける受信レベルが待受保持レベルＸを上回るに至ると、公衆用ＰＨＳのサービスが実施されている領域内にＰＨＳ端末が入り込んだと見なし、図３及び図４中に示す遷移（１）が実行される。即ち、公衆モードにおける受信レベルが向上の兆しを見せた段階で、公衆モードに関する待受動作、即ち受信レベル等を検出しその結果に基づき待受先ＣＳを逐次決定・変更する動作が開始されると共に、ＰＡモードに関するシームレス検出が開始される。シームレス検出の実行周期は、例えば６０秒〜６００秒程度とする。この状態から公衆モードにおける受信レベルが更に向上し選択レベルＸ＋Ｙを上回るに至ったことが、待受動作における受信レベル検出の結果から判明したとき、この状態での第１通信モードである公衆モードに関する待受動作を引き続き継続しつつも、この状態での第２通信モードであるＰＡモードに関するシームレス検出は中止される。
【００３７】
受信レベルの変化に伴う待受先ＣＳ等の変更を経ながらも、公衆モードにおける受信レベルが選択レベルＸ＋Ｙを上回っている間は、公衆モードにて着信を待ち受ける状態が続く。しかし、ＰＨＳ端末が公衆用ＰＨＳのサービス圏外に接近すると、公衆モードにおける受信レベルが劣化を呈する。選択レベルＸ＋Ｙを上回る受信レベルが得られるＣＳ等が見つからない状況になったとき、ＰＨＳ端末が公衆用ＰＨＳのサービス圏外との境界近傍に至ったと見なされ、ＰＡモードにおける受信レベルの検出及びその結果の選択レベルＸ＋Ｙとの比較が実行される。その結果として、ＰＡモードにおける受信レベルが選択レベルＸ＋Ｙより高い水準であることが判明した場合、ＰＡを介した着信を待ち受ける動作に移行すべく、図３及び図４中に示す遷移（２）が実行される。この遷移（２）は、使用者による待受モード設定操作なしに自動的に実行される遷移であることから、シームレス遷移であるといえる。後に示す他の形態のシームレス遷移と区別するため、第１の形態によるシームレス遷移と称することとする。遷移（２）においては、ＰＡモードにおける受信レベルが選択レベルＸ＋Ｙより高い水準であることから、公衆モードに関する待受動作に代えてＰＡモードに関する待受動作が開始される。
【００３８】
その後ＰＨＳ端末がＰＡの覆域外にある領域に接近していくと、この状態における第１通信モードたるＰＡモードにおける受信レベルが低下を呈しはじめる。ＰＡモードにおける受信レベルが選択レベルＸ＋Ｙを下回る水準まで低下すると、先に公衆モードにおける受信レベルが選択レベルＸ＋Ｙを下回る水準まで低下したときと同様に、第２通信モードにおける通信レベルが検出され選択レベルＸ＋Ｙと比較される。即ち、この状態では公衆モードが第２通信モードであるから、公衆モードにおける受信レベルの検出値が選択レベルＸ＋Ｙと比較される。このとき、公衆モードにおける受信レベルが選択レベルＸ＋Ｙを下回る水準であれば、公衆モードにおける着信待受に移行するより当面はＰＡモードにおける着信待受を継続するようにした方が、着信機会を損ねないという点で望ましいと見なせるため、ＰＡモードに係る待受動作が継続される。更に、近い将来公衆モードに係る待受に移行する可能性もあるため、公衆モードに関するシームレス検出動作が開始される。
【００３９】
この後、ＰＡモードにおける受信レベルが更に低下し、待受保持レベルＸより低い水準に至ったとき、ＰＨＳ端末がＰＡの圏外に達したと見なし、ＰＡモードに関する待受動作をやめる。それに代え、公衆及びＰＡの両通信モードに関する検出動作が開始される。即ち、図３及び図４に示すように、「ＰＡ」から「圏外」への状態遷移（３）が実行される。この場合、ＰＡモードに関する待受動作から「圏外」に移行したのであるから、従来のＰＨＳ端末における通常の圏外検索と同様の検出動作は、ＰＡモードに関して実行され、公衆モードについては、最低１２０秒に１回程度の頻度で検出が実行される。
【００４０】
この後、図４（Ｃ）に示すようにＰＡモードにおける受信レベルが回復し待受保持レベルＸより高い水準に至ったとき、ＰＨＳ端末がＰＡの圏内に入ったと見なし、ＰＡモードに関する待受動作が開始されると共に、公衆モードに関するシームレス検出が開始される。即ち、図３及び図４に示す状態遷移（４）が実行される。ＰＡモードにおける受信レベルが更に向上し選択レベルＸ＋Ｙを上回る水準に至ると、ＰＡモードに関する待受動作が継続され公衆モードに関するシームレス検出が停止される。
【００４１】
ＰＡモードにおける受信レベルが低下を見せ、選択レベルＸ＋Ｙを下回る水準に至ると、公衆モードにおける受信レベルの検出及びその結果の選択レベルＸ＋Ｙとの比較が実行される。このとき、公衆モードにおける受信レベルが選択レベルＸ＋Ｙを上回る水準であるのなら、ＰＡモードに関する待受動作に代えて公衆モードに関する待受動作が開始される。即ち、図３及び図４に示した遷移（５）が実行される。遷移（２）と比べると、この遷移（５）は逆方向の遷移ではあるが、第１の形態によるシームレス遷移であるという点では同様である。なお、遷移（２）と遷移（５）とで選択レベルＸ＋Ｙと比較される受信レベルが異なるため、公衆及びＰＡの双方の通信モードに関し受信レベル＞選択レベル（Ｘ＋Ｙ）が成り立つ領域内をＰＨＳ端末が行き来した場合における遷移（２）及び（５）の発生頻度が抑えられていることに、留意されたい。
【００４２】
遷移（５）によって公衆モードに関する待受動作が開始された後、公衆モードにおける受信レベルが選択レベルＸ＋Ｙを下回る水準に低下すると、その状態での第２通信モードたるＰＡモードにおける受信レベルが検出され、選択レベルＸ＋Ｙと比較される。ＰＡモードにおける受信レベルが選択レベルＸ＋Ｙより低ければ、図４（Ｃ）に示すように、公衆モードに関する待受動作が継続されつつＰＡモードに関するシームレス検出動作が開始される。その後公衆モードにおける受信レベルが更に低下し待受レベルＸを下回る水準に低下すると、図３及び図４に示す遷移（６）が実行される。先に述べた遷移（３）の場合は、その直前に待受動作がＰＡモードに関し実行されていたため、従来のＰＨＳ端末における通常の圏外検索と同様の検出動作がＰＡモードに関して実行され公衆モードについては最低１２０秒に１回程度の頻度で検出が実行されていたが、遷移（６）の場合は、その直前に待受動作が公衆モードに関し実行されていたため、従来のＰＨＳ端末における通常の圏外検索と同様の検出動作は公衆モードに関して実行されＰＡモードについては最低１２０秒に１回程度の頻度で検出が実行される。
【００４３】
次に、図５（Ａ）に示す関係下においては、公衆モードにおける受信レベルが選択レベルＸ＋Ｙより高い領域とＰＡモードにおける受信レベルが選択レベルＸ＋Ｙより高い領域とが重複していない。そのため、図５に示す状況における一連の状態遷移は、図４に示す状況における一連の状態遷移に対して、公衆モードでの待受からＰＡモードでの待受への遷移及びその逆の方向の遷移が異なる形態である、という相違点を有している。
【００４４】
まず、図５（Ｂ）においては、公衆モードにおける受信レベルが選択レベルＸ＋Ｙより低い水準に低下したとき、ＰＡモードにおける受信レベルの検出及びその結果の選択レベルＸ＋Ｙとの比較によって、ＰＡモードにおける受信レベルが選択レベルＸ＋Ｙより低い水準であることが判明する。そのため、図４（Ｃ）や図５（Ｃ）における期間Ｔ１の始期での動作と同様に、ＰＡモードに関するシームレス検出が開始される。その後、ＰＡモードにおける受信レベルが向上を見せ選択レベルＸ＋Ｙより高い水準に達すると、遷移（２）が実行される。
【００４５】
次に、図５（Ｃ）においては、ＰＡモードにおける受信レベルが選択レベルＸ＋Ｙより低い水準に低下したとき、公衆モードにおける受信レベルの検出及びその結果の選択レベルＸ＋Ｙとの比較によって、公衆モードにおける受信レベルが選択レベルＸ＋Ｙより低い水準であることが判明する。そのため、図４（Ｂ）や図５（Ｂ）における期間Ｔ２の始期での動作と同様、公衆モードに関するシームレス検出が開始される。その後、公衆モードにおける受信レベルが向上を見せ選択レベルＸ＋Ｙより高い水準に達すると、遷移（５）が実行される。
【００４６】
従って、図５（Ｂ）及び（Ｃ）中の期間Ｔ３を跨ぐ遷移は、第２通信モードに関するシームレス検出を伴う。即ち、期間Ｔ３を跨ぐ遷移は、第１の形態によるシームレス遷移と同様に使用者による待受モード設定操作が不要であるという意味でシームレス遷移であるのみならず、遷移先の通信モードに関し遷移前に待受先ＣＳ等が検出されているという点でもシームレス遷移である。いわば、期間Ｔ３を跨ぐ遷移は、第２の形態によるシームレス遷移と称することができる。
【００４７】
次に、図６（Ａ）に示す関係下においては、公衆モードにおける受信レベルが選択レベルＸ＋Ｙより高い領域とＰＡモードにおける受信レベルが選択レベルＸ＋Ｙより高い領域とが重複していないだけでなく、公衆モードにおける受信レベルが選択レベルＸ＋Ｙより高い領域とＰＡモードにおける受信レベルが待受保持レベルＸより高い領域との重複も、ＰＡモードにおける受信レベルが選択レベルＸ＋Ｙより高い領域と公衆モードにおける受信レベルが待受保持レベルＸより高い領域との重複も、生じていない。そのため、図６に示す状況における一連の状態遷移は、図４及び図５に示す状況における一連の状態遷移に対して、公衆モードでの待受からＰＡモードでの待受への遷移及びその逆の方向の遷移が異なる形態である、という相違点を有している。
【００４８】
まず、図６（Ｂ）においては、公衆モードにおける受信レベルが選択レベルＸ＋Ｙより低い水準に低下したとき、ＰＡモードにおける受信レベルの検出及びその結果の選択レベルＸ＋Ｙとの比較によって、ＰＡモードにおける受信レベルが選択レベルＸ＋Ｙより低い水準であることが判明する。そのため、図５（Ｂ）における期間Ｔ３の始期での動作と同様に、ＰＡモードに関するシームレス検出が開始される。その後、公衆モードにおける受信レベルが更に低下し待受保持レベルＸより低い水準に至ると、ＰＡモードに関する待受動作及び公衆モードに関するシームレス検出が開始される。更にその後、ＰＡモードにおける受信レベルが向上を見せ選択レベルＸ＋Ｙより高い水準に達すると、遷移（２）が実行される。
【００４９】
次に、図６（Ｃ）においては、ＰＡモードにおける受信レベルが選択レベルＸ＋Ｙより低い水準に低下したとき、公衆モードにおける受信レベルの検出及びその結果の選択レベルＸ＋Ｙとの比較によって、公衆モードにおける受信レベルが選択レベルＸ＋Ｙより低い水準であることが判明する。そのため、図６（Ｃ）における期間Ｔ３の始期での動作と同様に、公衆モードに関するシームレス検出が開始される。その後、ＰＡモードにおける受信レベルが更に低下し待受保持レベルＸより低い水準に至ると、公衆モードに関する待受動作及びＰＡモードに関するシームレス検出が開始される。更にその後、公衆モードにおける受信レベルが向上を見せ選択レベルＸ＋Ｙより高い水準に達すると、遷移（５）が実行される。
【００５０】
従って、図６（Ｂ）及び（Ｃ）中の期間Ｔ３を跨ぐ遷移は、第１通信モード即ち待受に係る通信モードの切換の前後に、互いに異なる第２通信モードに関するシームレス検出を伴う。従って、期間Ｔ３を跨ぐ遷移は、第２の形態によるシームレス遷移と同様の意味でシームレス遷移であるが、待受に係る通信モードの変更時点やシームレス検出の実行状況が異なるシームレス遷移であり、第３の形態によるシームレス遷移と称することができる。
【００５１】
そして、図７（Ａ）に示す関係下においては、公衆モードにおける受信レベルが選択レベルＸ＋Ｙより高い領域とＰＡモードにおける受信レベルが選択レベルＸ＋Ｙより高い領域とが重複していないが、公衆モードにおける受信レベルが待受保持レベルＸより高い領域とＰＡモードにおける受信レベルが待受保持レベルＸより高い領域及び選択レベルＸ＋Ｙより高い領域が重複している。従って、図７（Ｂ）中、期間Ｔ３を跨ぐ一連の遷移は第２の形態によるシームレス遷移となり、図７（Ｃ）中、期間Ｔ３を跨ぐ一連の遷移は第３の形態によるシームレス遷移となる。
【００５２】
このように、本実施形態によれば、ＰＨＳ端末に複数の通信モードが登録されているときに、使用者による操作としてはシームレス待受モードを設定するための操作のみで、待受に係る通信モードを、登録済の複数の通信モードのうちシームレス待受モードによりカバーされうる通信モードの中から自動的に、選択して待受を行うことができる。待受モード設定変更操作を忘れることによる着信（発信）不能状態発生もない。また、この自動的な選択・切換は、制御チャネル等における信号受信品質に応じて行われるため、ＰＨＳ端末のおかれている状況、例えば家庭内にいるのか、外出しているのか等に応じて、適切なものを自動選択することができる。
【００５３】
更に、例えば公衆，ＰＡ，家庭，オフィス，ＢＡを登録しシームレス待受モードを設定した場合は図８に示す各遷移を何れもシームレス遷移とすることができる。また、これらのモードの間でシームレス遷移に係る手順を導入した場合、公衆モードやＰＡモード、家庭モード、オフィスモードに関わるデュアルモード間の遷移もシームレス化される。
【００５４】
また、図８では、表１中でシームレス待受モードによりカバーされている通信モードのうち３個以上の通信モードが登録されており、その結果として、各状態において複数の第２通信モードが「シームレス検出」又は「検出」の対象とされている。このような登録・設定状況下では、所定の優先順位に従いＣＳ等の検出を行うようにするのが望ましい。仮に、家庭モード、オフィスモード、ＰＡモードの３者の間に優先順位を付けるのであれば、ＰＡモードよりも先にオフィスモードで、オフィスモードよりも先に家庭モードで、ＣＳ等の検出を行うように優先順位を付するのが望ましい。これは、例えば、ＰＨＳによるワイヤレス内線電話システムが使用されている事業所の窓辺にＰＡが設けられている状況下で、ＰＡモードをオフィスモードより優先させると、事業所内で使用されている（着信を待ち受けている）ＰＨＳ端末がワイヤレス内線電話システムの端末として機能しなくなる状況が生じうるため等である。特に、表１に示した例では、公衆＋オフィスのデュアルモードが準備されていることから、オフィスモードをＰＡモードより優先させれば、近くにＰＡがあっても公衆＋オフィスのデュアルモードで使用でき、従って公衆からの着信を受けられる。
【００５５】
更に、以上の説明においては、待受に係る通信モードの切換に伴う動作のうちＣＳ等の検出にさほど関連しない動作（例えば待受に係る通信モードを切り換えるときや圏外から待受状態に移行するときの位置登録等の動作）については述べなかった。しかしながら、以上の説明において省略した動作は、本願による開示を参照した当業者にとっては自明な事項であり、当業者であれば本願による開示に基づき本発明を実施できる。また、待受に係る通信モードの設定に関しては、これまで、各種の文献が公表されている。その中には、特開平１１−３０８６６７号公報のように、待受に係る通信モードの設定動作にＣＰＵが制限を加える等の事項を含むものがある。この種の文献に記載の技術は、待受に係る通信モードの設定の一部がマニュアル設定でないという点で、待受に係る通信モードを自動変更する本発明と共通する側面を有しているが、使用者による待受モードの設定変更操作を不要とするために受信信号品質に応じた手順を導入するという本発明の基本的発想には何ら言及がないという点で、本発明とは本質的に相違している。
【図面の簡単な説明】
【図１】  本発明の実施環境の一例を示すブロック図である。
【図２】  本発明の実施環境の他の一例を示すブロック図である。
【図３】  公衆及びＰＡ登録時における待受状態遷移を示す図である。
【図４】  公衆及びＰＡ登録時における待受状態遷移状況の第１の例を示す図であり、特に（Ａ）は覆域の位置関係を、（Ｂ）はＰＨＳ端末が図中左から右へ移動したときの待受状態遷移を、（Ｃ）はＰＨＳ端末が図中右から左へ移動したときの待受状態遷移を、それぞれ示す図である。
【図５】  公衆及びＰＡ登録時における待受状態遷移状況の第２の例を示す図であり、特に（Ａ）は覆域の位置関係を、（Ｂ）はＰＨＳ端末が図中左から右へ移動したときの待受状態遷移を、（Ｃ）はＰＨＳ端末が図中右から左へ移動したときの待受状態遷移を、それぞれ示す図である。
【図６】  公衆及びＰＡ登録時における待受状態遷移状況の第３の例を示す図であり、特に（Ａ）は覆域の位置関係を、（Ｂ）はＰＨＳ端末が図中左から右へ移動したときの待受状態遷移を、（Ｃ）はＰＨＳ端末が図中右から左へ移動したときの待受状態遷移を、それぞれ示す図である。
【図７】  公衆及びＰＡ登録時における待受状態遷移状況の第４の例を示す図であり、特に（Ａ）は覆域の位置関係を、（Ｂ）はＰＨＳ端末が図中左から右へ移動したときの待受状態遷移を、（Ｃ）はＰＨＳ端末が図中右から左へ移動したときの待受状態遷移を、それぞれ示す図である。
【図８】  公衆、ＰＡ、家庭、オフィス及びＢＡ登録時における待受状態遷移を示す図である。
【符号の説明】
１４，１４Ａ  信号処理部、２６，２６Ａ  ＭＰＵ、Ｘ  待受保持レベル、Ｙ待受保持レベルに対する選択レベルの差分。
【図１】
0003694452.tif 000003
【図２】
0003694452.tif 000004
【図３】
0003694452.tif 000005
【図４】
0003694452.tif 000006
【図５】
0003694452.tif 000007
【図６】
0003694452.tif 000008
【図７】
0003694452.tif 000009
【図８】
0003694452.tif 000010